(57)【要約】【課題】本線と分岐線の結合構造を有する線状体に対し、上記分岐線における屈曲部分を安定して固定可能な保護材としてのＵＶ硬化シートを得る。【解決手段】主要部保護用折り返し部１ａを折り返し、主要部保持部と主要部保護用折り返し部１ａとにより結合部、本線１１及び分岐線主要部１２ｍを挟み込む。さらに、屈曲部把持用折り返し部１ｘを折り返し、屈曲部保持部１ｂと屈曲部把持用折り返し部１ｘとにより、Ｕ字状に屈曲させた後の分岐線屈曲部１２ｘを挟み込む。その結果、ＵＶ硬化シート１は、結合部、本線１１、分岐線主要部１２ｍ及び分岐線屈曲部１２ｘの一部を保護しながら、分岐線屈曲部１２ｘを固定可能な形態に変形される。その後、紫外線を照射してＵＶ硬化シート１を硬化状態にする。【選択図】図３
2013137877.tif 000002
【特許請求の範囲】
【請求項１】
線状体の屈曲部を固定させるための屈曲部固定用のＵＶ硬化シートであって、前記線状体は、所定の結合部にて互いに結合される本線及び分岐線からなり、前記分岐線は主要部と該主要部からＵ字状に屈曲させた屈曲部を有し、
前記所定の結合部、前記本線、前記分岐線の前記主要部を上方に配置して保持可能な第１の保持部と、
前記分岐線の前記屈曲部を上方に配置して保持可能な第２の保持部と、
前記第１の保持部に連結し、折り返すことにより前記第１の保持部の上方に配置され、前記第１の保持部と共に前記所定の結合部、前記本線及び前記分岐線の主要部を挟み込み可能な第１の固定用折り返し部と、
前記第２の保持部に連結し、折り返すことにより前記第２の保持部の上方に配置され、前記第２の保持部と共に前記分岐線の前記屈曲部を挟み込み可能な第２の固定用折り返し部とを備え、前記第１及び第２の固定用折り返し部は平面視して前記第１及び第２の保持部を基準として互いに遠ざかる方向に延びて形成され、
前記第１の及び第２の保持部並びに前記第１の及び第２の固定用折り返し部は紫外線照射前の変形可能状態であり、紫外線照射後は硬化状態を呈する、
ＵＶ硬化シート。
【請求項２】
請求項１記載のＵＶ硬化シートであって、
前記第２の固定用折り返し部は、
互いに独立して形成される複数の第２の固定用折り返し部を含む、
ＵＶ硬化シート。
【請求項３】
請求項１あるいは請求項２に記載のＵＶ硬化シートであって、
前記線状体はワイヤーハーネスを含む、
ＵＶ硬化シート。
【発明の詳細な説明】
【技術分野】
【０００１】
この発明は、本線と分岐線の結合構造を有する線状体における上記分岐線における屈曲部分を安定固定可能なＵＶ硬化シートに関する。
【背景技術】
【０００２】
線状体であるワイヤーハーネスにおいては、しばしば本線の中間部と分岐線の端部を所定の結合部によって結合された結合構造が構成される。上記結合構造として例えば特許文献１に開示された結合構造がある。
【０００３】
図６は特許文献１で開示された従来のワイヤーハーネスにおける結合構造を示す説明図である。同図に示すように、本線３１の中間部において露出させた芯線４１と分岐線３２の端部において露出させた芯線５１を結合部である圧着端子３３で圧着し、絶縁テープ３４により、圧着端子３３及び芯線４１，５１を被覆することにより構成されている。なお、５２は芯線５１の先端部である。
【先行技術文献】
【特許文献】
【０００４】
【特許文献１】特開平５−１０１８６５号公報
【発明の概要】
【発明が解決しようとする課題】
【０００５】
従来のワイヤーハーネスの結合構造は、絶縁テープ３４によって圧着端子３３及び芯線４１，５１を被覆していた。しかしながら、このような絶縁テープ３４による被覆によって結合構造の保護が不十分であった。
【０００６】
特に分岐線３２をＵ字状に屈曲させて屈曲部分を設ける場合、絶縁テープ３４による被覆では屈曲部分の固定が不安定になる。その結果、圧着端子３３に負荷がかかり圧着端子３３の芯線５１の圧着部分が接触不良を引き起こしたり、圧着端子３３のエッジ部分３５において芯線５１が断線に伴う導通不良を引き起こしたりする問題点があった。
【０００７】
一方、屈曲形状を緩やかに、すなわち、Ｕ字状の開口部分を大きくして屈曲部分を設けると、この屈曲部分と本線３１及び分岐線３２の主要部（屈曲されない部分）との距離が大きくなり、ワイヤーハーネス全体の形状が肥大化するという問題点があった。
【０００８】
この発明は上記問題点を解決するためになされたもので、本線と分岐線の結合構造を有する線状体に対し、上記分岐線における屈曲部分を安定して固定可能な保護材としてのＵＶ硬化シートを得ることを目的とする。
【課題を解決するための手段】
【０００９】
この発明に係る請求項１記載のＵＶ硬化シートは、線状体の屈曲部を固定させるための屈曲部固定用のＵＶ硬化シートであって、前記線状体は、所定の結合部にて互いに結合される本線及び分岐線からなり、前記分岐線は主要部と該主要部からＵ字状に屈曲させた屈曲部を有し、前記所定の結合部、前記本線、前記分岐線の前記主要部を上方に配置して保持可能な第１の保持部と、前記分岐線の前記屈曲部を上方に配置して保持可能な第２の保持部と、前記第１の保持部に連結し、折り返すことにより前記第１の保持部の上方に配置され、前記第１の保持部と共に前記所定の結合部、前記本線及び前記分岐線の主要部を挟み込み可能な第１の固定用折り返し部と、前記第２の保持部に連結し、折り返すことにより前記第２の保持部の上方に配置され、前記第２の保持部と共に前記分岐線の前記屈曲部を挟み込み可能な第２の固定用折り返し部とを備え、前記第１及び第２の固定用折り返し部は平面視して前記第１及び第２の保持部を基準として互いに遠ざかる方向に延びて形成され、前記第１の及び第２の保持部並びに前記第１の及び第２の固定用折り返し部は紫外線照射前の変形可能状態であり、紫外線照射後は硬化状態を呈する。
【００１０】
請求項２の発明は、請求項１記載のＵＶ硬化シートであって、前記第２の固定用折り返し部は、互いに独立して形成される複数の第２の固定用折り返し部を含む。
【００１１】
請求項３の発明は、請求項１あるいは請求項２に記載のＵＶ硬化シートであって、前記線状体はワイヤーハーネスを含む。
【発明の効果】
【００１２】
請求項１記載の本願発明は、以下のようにして線状体の屈曲部を固定することができる。所定の結合部、本線及び分岐線の主要部が第１の保持部上に、分岐線の屈曲部が第２の保持部上にそれぞれ保持されるように配置する。そして、第１の固定用折り返し部を折り返し、第１の保持部と第１の固定用折り返し部とにより、所定の結合部、本線及び分岐線の主要部を挟み込む。さらに、第２の固定用折り返し部を折り返し、第２の保持部と第２の固定用折り返し部とにより分岐線の屈曲部を挟み込む。その後、紫外線を照射し、第１及び第２の固定用折り返し部が折り返された状態でＵＶ硬化シートを硬化状態にする。
【００１３】
その結果、硬化状態の第１の固定用折り返し部と第１の幹線保持部とにより所定の結合部、本線、及び分岐線の主要部を挟み込むとともに、硬化状態の第２の固定用折り返し部と第２の幹線保持部とにより分岐線の屈曲部を挟み込むことにより、本願発明のＵＶ硬化シートは分岐線における屈曲させた屈曲部を主要部から位置ズレさせることなく固定することができる。
【００１４】
このように、請求項１記載の本願発明のＵＶ硬化シートは、硬化後の第１の保持部と第１の固定用折り返し部とにより、所定の結合部本線と分岐線の主要部を保護するとともに、硬化後の第２の保持部と第２の固定用折り返し部とにより、屈曲部を主要部に隣接配置させた状態で安定に固定することができる。
【００１５】
さらに、第１及び第２の保持部の形成幅に余裕を持たせることにより、多様な構造の線状体に対して保護可能となるため、屈曲された屈曲部を有する線状体保護用のＵＶ硬化シートを、汎用性が高い態様で比較的安価に得ることができる。
【００１６】
請求項２記載の本願発明は、屈曲部を固定する第２の固定用折り返し部として、互いに独立て形成される複数の第２の固定用折り返し部を備えることにより、ＵＶ硬化シートは屈曲された屈曲部を位置ズレさせることなく、精度良く固定することができるため、より安定して線状体の屈曲部を固定することができる。
【００１７】
請求項３記載の本願発明は、屈曲部を有するワイヤーハーネス保護用のＵＶ硬化シートとして、上述した請求項１及び請求項２記載の本願発明と同様な効果を達成することができる。
【図面の簡単な説明】
【００１８】
【図１】この発明の実施の形態１であるＵＶ硬化シートの構成を示す平面図である。
【図２】ＵＶ硬化シート上に本線及び分岐線を有するワイヤーハーネスを仮配置した状態を示す平面図である。
【図３】分岐線屈曲部をＵ字状に屈曲させ、かつ、主要部保護用折り返し部及び屈曲部把持用折り返し部を折り返した後のＵＶ硬化シートの状態を示す平面図である。
【図４】図３のＡ−Ａ断面を示す断面図である。
【図５】この発明の実施の形態２であるＵＶ硬化シートの構成を示す平面図である。
【図６】従来のワイヤーハーネスにおける結合構造を示す説明図である。
【発明を実施するための形態】
【００１９】
＜実施の形態１＞
図１はこの発明の実施の形態１であるＵＶ硬化シート１の構成を示す平面図である。図２はＵＶ硬化シート１に本線１１及び分岐線１２を有するワイヤーハーネス１０を仮配置した状態を示す平面図である。
【００２０】
実施の形態１のＵＶ硬化シート１は、線状体であるワイヤーハーネス１０の屈曲部分（後に詳述）を固定させるための屈曲部固定用の保護材として機能する。
【００２１】
保護対象となるワイヤーハーネス１０は、結合部１７（所定の結合部）にて互いに結合された本線１１及び分岐線１２からなり、分岐線１２は屈曲対象とならない分岐線主要部１２ｍと該分岐線主要部１２ｍからＵ字状に屈曲させる予定の分岐線屈曲部１２ｘを有する。
【００２２】
図１及び図２に示すように、ＵＶ硬化シート１はその中央領域に、結合部１７、本線１１及び分岐線１２の分岐線主要部１２ｍを上方に配置して保持可能な主要部保持部１ｍ（第１の保持部）を有している。
【００２３】
そして、主要部保持部１ｍに対し図中右方向に隣接して屈曲部保持部１ｂ（屈曲部保持部１ｂｘ）が設けられる。屈曲部保持部１ｂ（１ｂｘ）は、屈曲させた後の分岐線屈曲部１２ｘを上方に配置して保持可能に設けられる。なお、屈曲部保持部１ｂの図中上方の一部として設けられる屈曲部保持部１ｂｘは屈曲部保持部１ｂの他の領域に比べ図中右方向に突出して設けられる。
【００２４】
さらに、主要部保持部１ｍに対し図中左方向に隣接して主要部保護用折り返し部１ａが設けられる。主要部保護用折り返し部１ａ、折り返し線２３（の近傍）で折り返すことにより主要部保持部１ｍの上方に配置され、主要部保持部１ｍと共に結合部１７，本線１１及び分岐線１２の分岐線主要部１２ｍを挟み込み可能である。
【００２５】
一方、屈曲部保持部１ｂの上方の屈曲部保持部１ｂｘに連結して、折り返し線２１で折り返すことにより屈曲部保持部１ｂｘの上方に配置され、屈曲部保持部１ｂｘと共に屈曲させた後の分岐線屈曲部１２ｘを挟み込み可能な屈曲部把持用折り返し部１ｘがさらに設けられる。主要部保護用折り返し部１ａ及び屈曲部把持用折り返し部１ｘは、平面視して主要部保持部１ｍ及び屈曲部保持部１ｂを基準として互いに遠ざかる方向に延びて形成される。
【００２６】
これら主要部保護用折り返し部１ａ、主要部保持部１ｍ、屈曲部保持部１ｂ及び屈曲部把持用折り返し部１ｘを有するＵＶ硬化シート１は、図２に示すワイヤーハーネス１０の仮配置状態では、紫外線照射前の変形可能状態を呈している。
【００２７】
図３は分岐線１２の分岐線屈曲部１２ｘをＵ字状に屈曲させ、かつ、主要部保護用折り返し部１ａ及び屈曲部把持用折り返し部１ｘを折り返した後のＵＶ硬化シート１の状態を示す平面図である。図４は図３のＡ−Ａ断面を示す断面図である。以下、図１〜図４を参照してワイヤーハーネス１０の分岐線屈曲部１２ｘの固定方法を説明する。
【００２８】
実施の形態１のＵＶ硬化シート１は、以下のようにしてワイヤーハーネス１０の分岐線屈曲部１２ｘを固定することができる。
【００２９】
まず、結合部１７、本線１１及び分岐線主要部１２ｍを主要部保持部１ｍ上に、Ｕ字状に屈曲させた後の分岐線屈曲部１２ｘが屈曲部保持部１ｂ上にそれぞれ保持されるように配置する。そして、主要部保護用折り返し部１ａを折り返し線２３に沿って折り返し、主要部保持部１ｍと主要部保護用折り返し部１ａとにより結合部１７、本線１１及び分岐線主要部１２ｍを挟み込む。さらに、屈曲部把持用折り返し部１ｘを折り返し線２１に沿って折り返し、屈曲部保持部１ｂ（含む屈曲部保持部１ｂｘ）と屈曲部把持用折り返し部１ｘとにより、Ｕ字状に屈曲させた後の分岐線屈曲部１２ｘを挟み込む。その結果、ＵＶ硬化シート１は、図３及び図４に示すように、結合部１７（図３，図４では図示せず）、本線１１、分岐線主要部１２ｍ及び分岐線屈曲部１２ｘの一部を保護しながら、分岐線屈曲部１２ｘを固定可能な形態に変形される。
【００３０】
その後、図３及び図４に示す状態で、すなわち、主要部保護用折り返し部１ａ及び屈曲部把持用折り返し部１ｘが折り返された状態でＵＶ硬化シート１に紫外線を照射してＵＶ硬化シート１を硬化状態にする。
【００３１】
その結果、硬化状態の主要部保護用折り返し部１ａと主要部保持部１ｍとにより結合部１７、本線１１、及び分岐線主要部１２ｍ挟み込むとともに、硬化状態の屈曲部把持用折り返し部１ｘと屈曲部保持部１ｂ（１ｂｘ）とにより分岐線屈曲部１２ｘを挟み込むことにより、本実施の形態のＵＶ硬化シート１は屈曲させた後の分岐線屈曲部１２ｘを分岐線主要部１２ｍから位置ズレさせることなく固定することができる。
【００３２】
すなわち、硬化後の主要部保持部１ｍと主要部保護用折り返し部１ａとにより、結合部１７、本線１１及び分岐線主要部１２ｍを保護するとともに、硬化後の屈曲部保持部１ｂｘと屈曲部把持用折り返し部１ｘとにより、分岐線屈曲部１２ｘを分岐線主要部１２ｍに隣接配置させた状態で安定に固定することができる。
【００３３】
さらに、主要部保持部１ｍ及び屈曲部保持部１ｂ（１ｂｘ）の形成幅に余裕を持たせることにより、多様な構造のワイヤーハーネスに対して保護可能となるため、屈曲された屈曲部を有するワイヤーハーネス保護用のＵＶ硬化シート１を汎用性が高い態様で比較的安価に得ることができる。
【００３４】
＜実施の形態２＞
図５はこの発明の実施の形態２であるＵＶ硬化シート２の構成を示す平面図である。
【００３５】
実施の形態２のＵＶ硬化シート２も、実施の形態１のＵＶ硬化シート１と同様、ワイヤーハーネス１０の屈曲部を固定させるための屈曲部固定用の保護材として機能する。
【００３６】
ＵＶ硬化シート２において、主要部保護用折り返し部２ａ、主要部保持部２ｍ、屈曲部保持部２ｂ（２ｂｘ）、及び屈曲部把持用折り返し部２ｘは、ＵＶ硬化シート１の主要部保護用折り返し部１ａ、主要部保持部１ｍ、屈曲部保持部１ｂ（１ｂＸ）及び屈曲部把持用折り返し部１ｘに対応し、同様な機能を有するため説明を省略する。
【００３７】
屈曲部保持部１ｂの図中中央の一部として設けられる屈曲部保持部２ｂｙは屈曲部保持部２ｂｘと同様、屈曲部保持部２ｂの他の領域に比べ図中右方向に突出して設けられる。
【００３８】
ＵＶ硬化シート２は、屈曲部保持部２ｂｙに連結し、折り返し線２２（の近傍）で折り返すことにより屈曲部保持部２ｂｙの上方に配置され、屈曲部保持部２ｂｙと共に分岐線１２の屈曲させた後の分岐線屈曲部１２ｘを挟み込み可能な屈曲部把持用折り返し部２ｙがさらに設けられる。
【００３９】
このように、実施の形態２のＵＶ硬化シート２は、分岐線屈曲部１２ｘの固定用に、互いに独立した２つの屈曲部把持用折り返し部２ｘ及び２ｙが設けられる。
【００４０】
実施の形態２のＵＶ硬化シート２は、以下のようにしてワイヤーハーネス１０の分岐線屈曲部１２ｘを固定することができる。
【００４１】
まず、結合部１７、本線１１及び分岐線主要部１２ｍが主要部保持部２ｍ上に、屈曲させた後の分岐線屈曲部１２ｘが屈曲部保持部２ｂ（２ｂｘ，２ｂｙ含む）上にそれぞれ保持されるように配置する。そして、主要部保護用折り返し部１ａを折り返し線２３に沿って折り返し、主要部保持部２ｍと主要部保護用折り返し部１ａとにより結合部１７、本線１１及び分岐線主要部１２ｍを挟み込む。さらに、屈曲部把持用折り返し部２ｘを折り返し線２１に沿って折り返すとともに、屈曲部把持用折り返し部２ｙを折り返し線２２に沿って折り返し、屈曲部保持部２ｂ（含む屈曲部保持部２ｂｘ）と屈曲部把持用折り返し部２ｘに加え、屈曲部保持部２ｂ（含む屈曲部保持部２ｂｙ）と屈曲部把持用折り返し部２ｙとにより、Ｕ字状に屈曲させた後の分岐線屈曲部１２ｘを挟み込む。
【００４２】
その後、主要部保護用折り返し部２ａ、屈曲部把持用折り返し部２ｘ及び２ｙが折り返された状態でＵＶ硬化シート２に紫外線を照射してＵＶ硬化シート２を硬化状態にする。
【００４３】
その結果、硬化状態の主要部保護用折り返し部２ａ並びに屈曲部把持用折り返し部２ｘ及び２ｙと主要部保持部２ｍ並びに屈曲部保持部２ｂとにより、結合部１７、本線１１，及び分岐線主要部１２ｍ並びに分岐線屈曲部１２ｘをそれぞれ挟み込むことにより、実施の形態２のＵＶ硬化シート２は屈曲させた後の分岐線屈曲部１２ｘを分岐線主要部１２ｍから位置ズレさせることなく固定することができる。したがって、ＵＶ硬化シート２は実施の形態１のＵＶ硬化シート１と同様の効果を奏する。
【００４４】
加えて、ＵＶ硬化シート２は、分岐線屈曲部１２ｘの固定用に、互いに独立した２つの屈曲部把持用折り返し部２ｘ及び２ｙを備えることにより、ＵＶ硬化シート２は屈曲された後の屈曲部把持用折り返し部２ｘを位置ズレさせることなく、精度良く固定することができるため、ＵＶ硬化シート１と比較して分岐線屈曲部１２ｘをより安定固定することができる。
【符号の説明】
【００４５】
１，２  ＵＶ硬化シート
１ａ，２ａ  主要部保護用折り返し部
１ｂ，２ｂ  屈曲部保持部
１ｂｘ，２ｂｘ，２ｂｙ  屈曲部保持部
１ｍ，２ｍ  主要部保持部
１ｘ，２ｘ，２ｙ  屈曲部把持用折り返し部
１０  ワイヤーハーネス
１１  本線
１２  分岐線
１２ｍ  分岐線主要部
１２ｘ  分岐線屈曲部
【図１】
2013137877.tif 000003
【図２】
2013137877.tif 000004
【図３】
2013137877.tif 000005
【図４】
2013137877.tif 000006
【図５】
2013137877.tif 000007
【図６】
2013137877.tif 000008